Podtech/llm-jp-corpus-v4-ja_patent huggingface dataset:
(57)【要約】【課題】  マイクロカプセルを含んだローションティシュの場合に重要なローション液とマイクロカプセルとの適性（相性）を満足させるマイクロカプセルの原料を提供することを目的とする。【解決手段】  香料を包埋したマイクロカプセルをローション液に分散させて、そのローション液をティシュ類に塗工又は塗布してなるティシュペーパーにおいて、該マイクロカプセルがその原料としてウレタン樹脂を使用したことを特徴とするティシュペーパー。【選択図】  なし【特許請求の範囲】
【請求項１】
香料を包埋したマイクロカプセルをローション液に分散させて、そのローション液をティシュ類に塗工又は塗布してなるティシュペーパーにおいて、該マイクロカプセルがその原料としてウレタン樹脂を使用したことを特徴とするティシュペーパー。
【請求項２】
香りによるアロマテラピー効果とローションによる肌ざわりのよさを兼ね備えた請求項１記載のティシュペーパー。
【請求項３】
ローション液として、しっとり感を出すための湿潤剤にグリセリン、ジグリセリン、ソルビット、ソルビタン、ペンタエリスリット等の多価アルコールを、しなやかさを出す柔軟剤に第４級アンモニウム、アミン塩またはアミンを、表面のなめらかさを出す平滑剤にジメチルポリシロキサン、アミン変性シリコーン、ポリエーテルシリコーンオイル等のポリシロキサンを用いる請求項１または２記載のティシュペーパー。
【請求項４】
マイクロカプセルのカプセル径が２０μ以下、好ましくは１０μ前後である請求項１から３までのいずれか１項記載のティシュペーパー。
【発明の詳細な説明】
【技術分野】
【０００１】
本発明は香りによるアロマテラピー効果と肌ざわりのよさを出すローション効果とを兼ね備えたティシュペーパーに関する。
【背景技術】
【０００２】
風合い向上処理、香料および／または消臭剤による処理を組合せ適用した衛生紙は知られている。
【０００３】
【特許文献１】特開２００３−３２５３７２
【発明の開示】
【発明が解決しようとする課題】
【０００４】
アロマテラピー効果とローション効果を兼ね備えたティシュは一般に、マイクロカプセルに香料を包埋し、そのカプセルをローション液に分散させて、そのローション液をティシュ類に塗工又塗布するが、このようなマイクロカプセルを含んだローションティシュの場合に重要なローション液とマイクロカプセルとの適性（相性）を満足させるマイクロカプセルの原料を提供することを目的とする。
【課題を解決するための手段】
【０００５】
本発明は香料を包埋したマイクロカプセルをローション液に分散させて、そのローション液をティシュ類に塗工又は塗布してなるティシュペーパーにおいて、該マイクロカプセルがその原料としてウレタン樹脂を使用したことを特徴とする。
【０００６】
マイクロカプセルの原料としては、一般的にはゼラチン、尿素ホルアレデヒドやメラミンホルムアルデヒド樹脂、ウレタン樹脂であるが、ゼラチンはグリセリン等からなるローション液中では、長期間にわたるカプセルの形状維持が難しい。
尿素やメラミンホルムアルヒデ樹脂は、ホルマリンの発生という安全衛生上の問題がある。
ウレタン樹脂は、グリセリン等からなるローション液中でも、長時間にわたってカプセル形状は安定しており、安全衛生上の問題もない。
又、ティシュ類は一般上質紙に比べて繊維間空隙は大きいが、それでも最大２０μ程度である。カプセルの粒径に関しては、ゼラチンはカプセルがぶどうの房状を形成する傾向があり、２０μ以下のカプセルを作るのが難しい。
ウレタンや尿素、メラミン樹脂は１０μ以下のカプセルもできるため、ティシュペーパーの使用に適している。
【０００７】
本発明の特徴はマイクロカプセルの原料としてウレタン樹脂を使用することにあるがローション液としては、しっとり感を出す湿潤剤としては、グリセリン、ジグリセリンやソルビット、ソルビタン、ペンタエリスリット等の多価アルコールが挙げられる。又しなやかさを出す柔軟剤としては、第４級アンモニウム、アミン塩またアミンなどがある。表面のなめらか感を出す平滑剤としては、ジメチルポリシロキサン、アミン変性シリコーン、ポリエーテルシリコーンオイル等のポリシロキサンが挙げられる。
【０００８】
本発明のティシュペーパーにはフェーシャルティシュ、トイレットペーパー、ペーパータオルが含まれる。
【０００９】
上記のように即ち、カプセル径が２０μ以上だとカプセルの多くが、ティシュペーパーのシート表面に存在しており、小さな衝撃で壊れたり、シートから脱落して、消費者がティシュペーパー使用時に十分に香りカプセルのアロマテラピー効果を享受できない。
逆に、１０μ前後のカプセルの場合は、大部分がティシュペーパーの繊維間空隙に収まるため、ローション塗工工程やその後の折り加工等の工程で、カプセルの破壊や脱落が少なく、消費者がティシュペーパー使用時に十分なアロマテラピー効果を享受できる。
【発明の効果】
【００１０】
本発明の効果を要約して列記すると次の通りである。
（１）香料を包埋したマイクロカプセルのカプセル原料がウレタン樹脂であるので、グリセリン等からなるローション液中でも長時間にわたってカプセル形状は安定しており、かつ安全衛生上の問題もない。
（２）ウレタン樹脂は２０μ以下のカプセルを作るのが容易であるため、大部分がティシュペーパーの繊維空隙に収まる１０μ前後のカプセルに調製することができるので、ローション塗工工程やその後の折り加工等の工程でカプセルの脱落が少なく消費者がティシュペーパー使用時に十分なアロマテラピー効果を享受できる。
（３）香りによるアロマテラピー効果とローションによる肌ざわりのよさの効果とを消費の段階で効果的に発揮することができる。
【発明を実施するための最良の形態】
【００１１】
以下に本発明の実施例を香料入りマイクロカプセルの耐薬品性テストによって説明するが、本発明はこれのみに限定されるものではない。
【実施例１】
【００１２】
マイクロカプセルに香料を包埋し、このカプセルをローション液に分散させ、そのローション液をティシュペーパーに塗布しアロマティシュとした。
ローション液組成およびマイクロカプセルのカプセル原料を変えて香料入りマイクロカプセルの耐薬品性をテストした。
その結果を下表に示す。
【００１３】
【表１】
2005237745.tif 000002
【００１４】
テスト方法
（１）カプセル原料としてゼラチン、尿素ホルムアルデヒド樹脂、ウレタン樹脂を使用し、香料としては、ハーブ系の香りを使用して、香料入りマイクロカプセルを作成した。
カプセルは固形分２０％のスラリー液とした。
（２）ローション液としては、グリセリン単独、グリセリン＋シリコン、グリセリン＋シリコン＋４級アンモニウムの３種類を使用した。
（３）ローション液とカプセルスラリー液の混合割合
ローション液：カプセルスラリー液＝８０：２０
（４）評価方法は、混合液作成後１ヵ月後、３ヶ月後、６ヶ月後にそれぞれの混合液中のカプセル形状を電子顕微鏡にて観察した。
（５）下記基準にて評価結果とした。
×…９０％以上のカプセルが崩壊していた。
△…約５０％のカプセルが崩壊していた。
○…崩壊していたカプセルが１０％以下であった。
(57)【要約】【課題】展示装置の枠体の表面が変化に富んだ凹凸面であっても表面に印刷などの模様が形成できる展示装置を提供する。【解決手段】本発明展示装置は、複数の枠体が多角形状に枠組みされ、この枠体の表面が水圧転写により加飾されていることを特徴とするものであり、枠体の断面形状に拘わらず木目や石目などの模様を容易に枠体に付与することができるので、製造コストが嵩むことなく装飾性が付与される。又、異なる種類に印刷されたフィルムを用意するだけで、種々の模様や柄の展示装置が製作可能となる。【選択図】        図１
2005237754.tif 000002
【特許請求の範囲】
【請求項１】
複数の枠体が多角形状に枠組みされ、この枠体の表面が水圧転写により加飾されていることを特徴とする展示装置
【発明の詳細な説明】
【技術分野】
【０００１】
本発明は、額縁、パネル、等の展示装置に関する。
【背景技術】
【０００２】
【特許文献１】特開平７−８８０２６号公報  従来、額縁として、額縁などの展示装置の表面に模様などの加飾を施したものは良く知られている。例えば、特開平７−８８０２６号公報には、展示物の前面を透視可能に覆う透視シートと、透視シートの背部側に組付けられ展示物の周囲を囲む縁枠とを備え、透視シートは縁枠の少なくとも前面をも透視可能に覆い、縁枠は縁枠の少なくとも前面の形状を有して模様等が描かれた縁枠表面シートと縁枠表面シートを透視シートとの間に挟み込み保持する縁枠本体とを備えたことを特徴とする額縁が提案されている。
【発明の開示】
【発明が解決しようとする課題】
【０００３】
しかしながら上記の如き特開平７−８８０２６号公報に提案されている額縁の加飾方法では、額縁の縁枠の表面が平坦であればよいが、額縁の枠に凹凸があるときにこの方法では加飾し難いという問題があった。
【０００４】
そこで本発明者は従来の欠点に鑑み鋭意研究の結果、展示装置の枠体の表面が変化に富んだ凹凸面であっても表面に印刷などの模様が形成できる展示装置を提供する。
【課題を解決するための手段】
【０００５】
本発明展示装置は、複数の枠体が多角形状に枠組みされ、この枠体の表面が水圧転写により加飾されていることを特徴とするものである。本発明における水圧転写とは、水溶性フィルムに絵柄や模様などを印刷し、このフィルムを水面に浮かべ、このフィルムに素材を押しつけることで素材の表面に絵柄や模様を付ける方法であり、素材に凹凸があっても絵柄や模様を自然に付けることができる。
【発明の効果】
【０００６】
上述の如く、本発明展示装置は、複数の枠体が多角形状に枠組みされ、この枠体の表面が水圧転写により加飾されていることを特徴とするものであり、枠体の断面形状に拘わらず木目や石目などの模様を容易に枠体に付与することができるので、製造コストが嵩むことなく装飾性が付与される。又、異なる種類に印刷されたフィルムを用意するだけで、種々の模様や柄の展示装置が製作可能となる。
【発明を実施するための最良の形態】
【０００７】
以下、図面を参照しながら本発明に付いて説明する。
図１は本発明展示装置の枠体表面の模様を省略した実施形態の一例を示すパネルフレームである。図に於いて、１は枠体であり、この例に於いては合成樹脂から作製されている。枠体は四角形状に枠組みされ、その内側に透明の表面シート２と背板３及びマット紙４が配設されている。図２はこのパネルフレームの要部を示す断面図であり、枠体１の表面は円弧状に膨出された形状となされている。
【０００８】
この例に示したような凹凸面が形成された枠体１にシートの貼着などの手段で、加飾を施すとシートが凹凸に馴染まず皺がよったりして美麗に仕上がらない。本発明では枠体の表面に水圧転写によって絵柄や模様を形成する。水圧転写とは水溶性のフィルムに木目や石目などの模様などを印刷しこのインクに活性剤を塗布してインクを活性化し、このフィルムを水面上に浮かべた状態で、被写体を水溶性薄膜に押しつけて水圧によりインクを被写体に付けるというもので、木目や石目などを美麗に且つ容易に本発明における枠体などの表面に形成することができる。
【図面の簡単な説明】
【０００９】
【図１】本発明展示装置の実施形態の一例を示す正面図である。
【図２】本発明展示装置の要部を示す断面図である。
【符号の説明】
【００１０】
１    枠体
２    表面シート
３    背板
４    マット紙
【図１】
2005237754.tif 000003
【図２】
2005237754.tif 000004
(57)【要約】      （修正有）【課題】回転盤台を使用した足裏マッサージ運動用具を提供する。【解決手段】強化プラスチックを曲成した基体１上に柔らかなゴム状のローラー２を設置する。ローラーの数はできるだけ少なくして回転盤台３との摩擦を最少限におさえる。回転盤台の回転をスムーズにさせる為のベアリング玉５は内側と外側ニヶ所に設置する。回転盤台も強化プラスチックを使用し、ベアリング玉の当る部分は厚く、ローラーが当る部分は薄く柔らかい部分４とする。回転盤台の凸起６は回転盤台表面と同じ素材の強化プラスチックとする。使用者は一対の回転盤台に両足で立ち、体全体、特に脚及び足首で回転盤台を左右に捻転させることで基体に設置したローラーにより足裏をマッサージすることができる。【選択図】図１
2005237656.tif 000002
【特許請求の範囲】
【請求項１】
一対の回転盤を使用し、基体上にローラーを設置しそのローラーの間隔を開け又は高低をつけることにより、ローラー上を通過する回転盤台を波うたせ、その回転盤上につけた凸起により、足の裏をマッサージすることが出来る運動用具。
【発明の詳細な説明】
【技術分野】
【０００１】
基体上に設置したローラーの間隔を開け又は高低をつける、そしてそのローラーの通過する回転盤台の中ほど部分を柔らかくすることで回転盤台を上下に波うたせ、それにより足の裏をマッサージすることが可能となる運動用具に関する。
【背景技術】
【０００２】
今までに左右一対の回転盤台を使用の運動具は特開平10-76024、特開2003‐79761が知られているが、左右一対の回転盤台を利用した足裏マッサージ運動具は見あたらない。
【発明の開示】
【発明が解決しようとする課題】
【０００３】
従来の一対の回転盤台においては、膝に対する強化や体のバランスを整えるためのものであるが、この発明においては回転盤台の下にローラーを設置し、回転盤台に両足で立ち乗り下半身の脚及び足首で左右に捻転させ回転盤台の表面を波うたせる、それにより回転盤台表面につけた凸起により足の裏をマッサージすることが可能となる運動用具である。
【課題を解決するための手段】
【０００４】
上記目的を達成するために、本発明の足裏マッサージ運動用具は基体上にローラーを設置し、その上を通過する回転盤台を波うたせなければならない、そこで回転盤台のベアリング玉が当たる部分をのぞいた中部位はベアリング玉があたる部分より素材を柔らかくし、素材が柔らかくなり耐久性がなくなるのを補うために回転盤台表面に凸起部分を付け、ローラーの接触で生ずる摩擦を出来るだけ軽くするためにローラーの数量を必要最小限にとどめ、さらに回転盤台用ベアリング玉を多く使用することで、足裏のマッサージを効果的に行うことが可能となる運動用具を提供しょうとするものである。
【発明の効果】
【０００５】
以上説明した通り、本発明に係わる足裏マッサージ運動用具は、回転盤台の上へ両足で立ち乗り、体全体を使うが特に下半身にあたる脚及び足首で回転盤台を左右に捻転させることにより、基体に設置したローラーによってスムースに足裏マッサージが効果的に得られる。
【発明を実施するための最良の形態】
【０００６】
発明の実施の形態を実施例に基づき図面を参照して説明する。図１において、基体１は強化プラスチックを曲成し、ローラー２は柔らかなゴム状のものを使用しそれを基体上に設置する、ローラー部分の間隔を図のように開け、その数を出来るだけ少量とし回転盤台との摩擦を最小限におさえる。
【０００７】
このローラー部分は回転盤台の中ほどに位置させる。そのために回転盤台の回転をスムースにさせる為のベアリング玉５の位置は、内側と外側の計二ヶ所とする。
【０００８】
回転盤台３も同じく強化プラスチックを使用し、ベアリング玉５が当たる部分には素材は厚く使用する、ローラーが当たる部分は回転盤台を波うたせるためにベアリング玉があたる部分より素材を薄く柔らかい部分４とする。
【０００９】
回転盤台の凸起６は回転盤台表面と同じ素材の強化プラスチックとし、ローラーが通過する柔らかな部分の補強と、足の裏に刺激をあたえる両方の目的で使用する。
【実施例】
【００１０】
使用者は一対の回転盤台に両足で立ち乗り、体全体を使うが特に脚及び足首で回転盤台を左右に捻転させることで、基体に設置したローラーにより、足の裏をマッサージすることが可能な運動用具である。
【産業上の利用可能性】
【００１１】
人体の足の裏には人体各内臓のツボがあり、このツボを回転盤の下に設置したローラーで刺激することにより、各内臓器官は活性化され、血液の循環はより活発になり身体の健康促進に利用される。
【図面の簡単な説明】
【００１２】
【図１】1〜６を示した平面図である。
【符号の説明】
【００１３】
１  基体
２  ローラー
３  回転盤台
４  回転盤台の柔らかな部分
５  回転盤台を回転させるベアリング玉
６  回転盤台表面凸起部分
【図１】
2005237656.tif 000003
(57)【要約】【課題】中敷のずれを防止する。【解決手段】本発明の靴は、表面に起毛加工が施された中底２を有することを特徴とする。起毛加工により、中底２の表面に形成された凹凸が中敷５の裏面に接することとなるため、中底２と中敷５との摩擦抵抗を大きくすることができ、それにより、中敷５のずれを防ぐことが可能となる。【選択図】図２
2005237690.tif 000002
【特許請求の範囲】
【請求項１】
表面に起毛加工が施された中底を有することを特徴とする靴。
【請求項２】
表面に起毛加工が施されていることを特徴とする中底。
【発明の詳細な説明】
【技術分野】
【０００１】
本発明は、靴及び中底に関するものである。
【背景技術】
【０００２】
中底は、靴の内面底部にあって、直接足を支える役割を果たしている。従って、中底の表面は、概して足底との摩擦が過度に大きくならないように滑らかである。
【０００３】
一方、靴の内部において、中底の上に設けられる中敷が、種々の目的で開発されている。中敷の中には、取り外し可能に装着できるものがあり、さらにこれらの中には、靴とは独立して単独で使用者に提供されているものがある。また、最近では、快適な歩行や足の矯正等を目的として、足の状態に適合するよう、踏まず部、中足骨部、踵部等を隆起させた凹凸のある中敷が市販されている。
【０００４】
しかしながら、これらの中敷は、市場で流通する一般の靴、すなわち、中敷が装着されることを予定していない靴に適用されているのが実情である。このため、中敷は、表面が滑らかな中底の上に装着されることになるので、歩行中などに、靴の内部において、中敷がずれる現象が発生し易いものとなっていた。特に、靴の内部において、中底と中敷の形状・大きさが一致しないものにあっては、中敷がずれ易く、快適な歩行を損なう要因となっていた。
【発明の開示】
【発明が解決しようとする課題】
【０００５】
本発明が解決しようとする課題は、中敷のずれを防止すること、特に中底と中敷の形状・大きさが一致しない場合であっても、中敷のずれを少なくすることができる靴及び中底を提供することである。
【課題を解決するための手段】
【０００６】
本発明は、上記課題を解決するため、以下の靴及び中底を提供する。
（１）表面に起毛加工が施された中底を有することを特徴とする靴。
（２）表面に起毛加工が施されていることを特徴とする中底。
【発明の効果】
【０００７】
本発明によれば、起毛加工により、中底の表面に形成された凹凸が中敷の裏面に接することとなるため、中底と中敷との摩擦抵抗を大きくすることができ、それにより、中敷のずれを防ぐことが可能となる。従って、中底と中敷の形状・大きさが一致しない場合であっても、中敷のずれを少なくすることが可能となる。
【発明を実施するための最良の形態】
【０００８】
以下、本発明の実施の形態を図面に示した実施例に基づいて詳しく説明する。
【実施例】
【０００９】
図１は、本発明の一実施例に係る靴の構造を示す断面図である。この図に示したように、本実施例に係る靴は、製甲１、中底２、中物３及び表底４を有して構成される。なお、本実施例に係る靴は、セメンテッド式製法により製造されたものであるが、本発明が適用される靴の製法は何等限定されるものではない。
【００１０】
本実施例に係る靴は、中底２を靴型に仮止めし、製甲１を釣り込み、接着剤を用いて、製甲１に表底４を加圧密着させることにより製造される。
【００１１】
中底２は、牛革、豚革、レザーボード、パルプボード、ゴム、ＥＶＡ（エチレン・ビニル・アセテート）などを材料として用い、これを所定の形状に裁断したものである。
【００１２】
中底２の表面には、起毛加工が施される。起毛加工は、所定の形状に裁断する前の板材（中底２の原材料）又は裁断後の中底２に対して、自動起毛機等を用いてなされる。表面の切削には、サンドペーパ、砥石、ワイヤーブラシ、切削歯などが用いられる。表面の切削にサンドペーパを用いる場合には、８０番以下のものを用いることが好ましい。中底２の表面は、起毛加工により、中敷が滑り難くなるよう、十分な粗さに起毛される。
【００１３】
図１に示したように、中底２は、靴の内面底部に設けられる。本実施例に係る靴は、中敷を具備するものではないが、中敷が装着されることを予定して設計されたものである。従って、本実施例に係る靴によれば、中敷を装着することにより、足が入り難くなったり、靴を履いたときに窮屈さを感じる等ということがない。
【００１４】
図２に示したように、本実施例に係る靴によれば、中底２の上に、取り外し可能な中敷５を装着したときに、中敷５の裏面が、中底２の表面に当接する。中底２の表面には、起毛加工が施されているため、中底２と中敷５との間に生じる摩擦抵抗を大きなものとすることができる。中敷５は、この摩擦抵抗によってずれ難くなるため、仮に、靴の内部において、中底２と中敷５の大きさ・形状が一致しない場合でも、中敷５のずれを少なくすることができる。
【００１５】
このように中敷のずれが防止されることにより、中敷の浮き上がりをなくすことができ、足当たりを良好にすることができる。また、踏まず部、中足骨部、踵部等を隆起させた凹凸のある中敷にあっては、その中敷のずれが防止されることにより、隆起させた部分を理想的な位置に配置することが可能となり、中敷の持つ機能を十分に発揮させることが可能となる。
【図面の簡単な説明】
【００１６】
【図１】本発明の一実施例に係る靴の構造を示す断面図である。
【図２】中敷を装着した状態を示す概略断面図である。
【符号の説明】
【００１７】
１  製甲
２  中底
３  中物
４  表底
５  中敷
【図１】
2005237690.tif 000003
【図２】
2005237690.tif 000004
(57)【要約】【課題】釣り人は餌木の投入後、竿の操作で餌木を僅かな範囲の好ポイントに導けば餌木自体が竿の操作をしなくても不規則な発光で集魚効果と釣果が得られる事。【解決手段】従来の餌木の不規則な発光は、潮流や釣り人の竿の操作時に不規則な発光が可能であったため、発光の度に釣りの好ポイントが外れたが、本餌木は餌木の内部に電池とスイッチの不規則な時間設定をした集積回路を発光体と結線しており、竿の操作に頼らず好ポイントの位置で集積回路の設定通りに不規則、妖艶な発光を行うことで、獲物の魚類は活発に集う小魚と錯覚して捕獲に至り、釣果に繋げることとした。【特許請求の範囲】
【請求項１】
堅牢な合成樹脂等で魚形に形成した餌木内に、電池交換を可能とする電池収容体と、断続的なスイッチ機構を組み込んだ集積回路及び発光体を収め、電池、集積回路、発光体をそれぞれ結線し、集積回路に組み込んだ設定通りの断続的な餌木の発光が可能となる事を特徴とする発光餌木。
【発明の詳細な説明】
【技術分野】
【０００１】  本発明は電池を電源とし、断続的なスイッチ機構を組み込んだ集積回路により、その設定通りに発光する発光体を収容した魚類釣り用のルアー、餌木に関するものである。
【背景技術】
【０００２】  従来の釣り用ルアーや餌木に於いては、夜間や自然光の少ない場所に於いても獲物の魚類の誘引効果を上げる為に、発光塗料を塗布したものや化学発光体を装着して常時発光する餌木や、電池や発電装置と発光体を収容し、一定間隔、不定間隔、竿の操作時等の発光を可能とするルアーや餌木は知られている。
【特許文献１】特開平１１−２５３０７１号公報
【特許文献２】特開２０００−２０１５７８号公報
【特許文献３】特開２００１−２２４２８１号公報
【発明の開示】
【発明が解決しようとする課題】
【０００３】  魚類は視覚、聴覚、臭覚等により餌を物色し捕獲するとされており、餌となる対象物が危険を察して逃げようとする様々な回避行動で、獲物の魚類は生きている確証を得て更に追尾して捕食する本能があり、従来から知られている常時発光している餌木では逃避中も逃避後も自らの存在を知らせている事が不自然で、獲物の魚類は警戒心、恐怖心を抱き、釣り人が竿の操作技法で餌の小魚に似せようとする事は至難であり、釣果に繋げる事は困難であった。【０００４】  電池、発電部を収容し、発光や消光を自在に行う発光ルアー等は常時発光するルアーよりも更に遠方より発見され易く、より餌の小魚に似せる事は可能で釣果に繋がる事となるが、発光時には、ルアーに潮流又は竿の操作等の外力やアクションを必要とし、その為に狭い釣りの好ポイントから外れることもあり、僅かな貴重な入れ食い状態の時間帯の有効活用も、外れる好ポイントへ餌木の投入を繰り返す必要があり、時間のロスは大きく、釣果に繋ぐ効率は低下する事となる。
【課題を解決するための手段】
【０００５】  上記課題を解決する本発明の発光餌木は、堅牢な合成樹脂等で魚形に形成した餌木内に、電池交換を可能とする電池収容体と、断続的なスイッチ機構を組み込んだ集積回路及び発光体を収め、電池、集積回路、発光体をそれぞれ結線し、集積回路に組み込んだ設定通りの断続的な餌木の発光が可能となる事を特徴とする。
【発明の効果】
【０００６】  電源である電池及び発光体の発光時間を設定した集積回路と発光体は結線状で餌木内に収容してあり、投入された餌木は定位置で集積回路の設定通りに不規則で妖艶な発光に至り、釣り人の僅かな竿の操作や定位置でも小魚類の激しい動きに似せる事が可能であって、従来の餌木のように度々餌木の投入も必要とせず、限られた範囲の好ポイントでアタリを待てる事となり、釣り人の竿の操作も少なくてすみ、効率の高い釣果に繋げる事となる。
【発明を実施するための最良の形態】
【０００７】  電池を電源として発光体の発光時間の長短を決定するスイッチ機構を組み込んだ集積回路と発光体を結線して防水に配慮し、餌木内に収容する事。
【実施例】
【０００８】  実施の一例を図面に示して説明する。第１図は本発明の餌木の側面図であり、第２図は平面図であり、第３図は餌木頭部の拡大側断面図である。図３では、頭部先端部に於いて防水周縁滞９を介在してねじ込み方式で脱着可能とし、一方のびん型リチウム電池の陽極方向から収容するための堅牢な材質で形成した収容部１３内部空間は、びん型リチウムとほぼ同形状をなし、市販の３Ｖのびん型リチウム電池は容易に挿入可能であり、その陽極部には電池の安定と、電池陽極の導極とを共用する導電体のバネ部１１を設ける。【０００９】  バネ部１１で取り出した電池陽極は集積回路基盤７と結線後、発光ダイオード６と結線し、一方の電池陰極は、リチウム電池陰極部を安定させ且つ、陰極を導くために導電体でバネ部１０を設け、バネ部から導極した陰極は集積回路基盤７と結線後、発光ダイオード３と結線し、発光ダイオードから餌木外部への発光手段は、餌木の頭部側面より発光ダイオードと接触させた直線形状の貫通空間に、貫通空間より僅かに細い両端が半球状の透光性と僅かな屈曲性を有した緩やかなＶ、又はＵ字形の透光棒状体３を貫通装着させ、棒状体の復元力により左右のズレを解消して安定させながら、発光ダイオードからの光を餌木１の両眼に導く構造とするもので、発光ダイオードの白色の光は透光棒状体の色に変換されて餌木の両眼で光る事となる。【００１０】  餌木頭部の餌木脱着端部１２の内部はリチウム電池の陰極端部を取り込む形状とし、指先でリチウム電池をつまみ、電池の挿脱を容易にする事に配慮したものである。【００１１】  餌木頭部内に収めた市販の規格１．６Ｖ、１ｍＡ〜３０ｍＡ（ＨＬＭＰ−１７００白）の頭部内の発光ダイオードの光は透光棒状体の色で餌木の両眼で光るため、多くの異なった色の透光棒状体を準備すれば、水質、天候、時間帯の事象に容易に対応可能となり、餌釣りの場合でも同じ餌では食い渋りが生じ、そのために数種類の餌を準備する必要であると言われているが、餌木でも速やかに獲物の魚類の目先を変えるため異なった色の棒状体に交換すれば、獲物の魚類の食い渋りも解消され釣果に繋ぐ事となる。
【図面の簡単な説明】
【００１２】
【図１】本発明の餌木側面図
【図２】本発明の餌木平面図
【図３】本発明の頭部拡大側断面図
【符号の説明】
【００１３】１  餌木本体
２  バランスウエイト
３  透光棒状体
４  ラインアイ
５  道糸
６  発光ダイオード
７  集積回路基盤
８  リチウム電池
９  防水周縁帯
１０バネ部（陰極側）
１１バネ部（陽極側）
１２餌木脱着端部
１３電池収容体
【図１】
2005237364.tif 000002
【図２】
2005237364.tif 000003
【図３】
2005237364.tif 000004
(57)【要約】【課題】醤油等が有している「火香」と称されている独特の香ばしさを備えた香味パンを提供する。【解決手段】  常法とおりの製パン工程において、生地混捏時に、６０〜９０℃で加熱処理した発酵種をパン生地に混入したり、又はホイロ工程前（二次発酵前）の成形生地の表面に、所定の発酵種を塗布したり、或いは常法とおりの製出したパンの表面に、所定の発酵種を塗布して再度焼成して、添加した加熱処理種や、塗布された発酵種のその後の工程の加熱処理（焼成工程）で所定の香りを生じさせる。【選択図】  図１
2005237330.tif 000002
【特許請求の範囲】
【請求項１】
常法とおりの製パン工程において、生地混捏時に、６０〜９０℃で加熱処理した発酵種を、パン生地に混入してなることを特徴とする香味パンの製造方法。
【請求項２】
常法とおりの製パン工程において、ホイロ工程前（二次発酵前）の成形生地の表面に、所定の発酵種を塗布してなることを特徴とする香味パンの製造方法。
【請求項３】
常法とおりに製出したパンの表面に、所定の発酵種を塗布して再度焼成してなることを特徴とする香味パンの製造方法。
【発明の詳細な説明】
【技術分野】
【０００１】
本発明は、独自の香りを有する香味パンの製造方法に関するものである。
【背景技術】
【０００２】
製パン技術において、パンに独自の風味を付与する手段は従前から種々知られている。例えば特開平１０−１１７６７０号公報（特許文献１）には、果実種、穀物種、ホップス種、酒種、サワー種等の発酵物である種々のパン種を使用することが開示されている。
【０００３】
また特開２００１−２５８４６６号公報（特許文献２）には、複数種の乳酸菌を有する乳酸菌群と、複数種の酵母を有する酵母群とを有し、（乳酸菌の総量）／（酵母の総量）の値を増加させる乳酸菌群増加処理を行われるパン種を使用し、このパン種が酵母の総量が相対的に減少して製パン時に発酵力が不足する対策として、前記パン種と共にイースト（酵母）を配合することにより、充分な発酵力を確保して製パンすることで、砂糖を一切配合していなくとも、小麦粉が発酵をうけて得られる熟成によりもたらされた旨みを備えたパンを製出できることが開示されている。
【０００４】
更に特開２００２−３４５３９２号公報（特許文献３）には、「パンのほのかな香り」が、ドライイーストと短時間発酵が重要な因子であること、また「ほのかな甘味」は、でんぷんの糖化の促進、そのための糖化酵素としてのαアミラーゼ、使用する原料の見直しとして糖類としてのトレハロースの使用、及び油脂としてのショートニングの使用が重要な因子であるとして、使用材料の組み合わせによる風味改善が開示されている。
【０００５】
【特許文献１】特開平１０−１１７６７０号公報
【特許文献２】特開２００１−２５８４６６号公報
【特許文献３】特開２００２−３４５３９２号公報
【発明の開示】
【発明が解決しようとする課題】
【０００６】
ところで、醤油は独特な香ばしさを備えており、「火香」と称されている。この「火香」は醤油の製造工程中における火入れに際して、有機酸、アミノ酸、その他の発酵生成物が加熱された際に生ずるものである。
【０００７】
そこで本発明は、この独自の香りである「火香」を備えたパンの製造手段を提案したものである。
【課題を解決するための手段】
【０００８】
本発明にかかる香味パンの製造方法は、常法とおりの製パン工程において、生地混捏時に、６０〜９０℃で加熱処理した発酵種をパン生地に混入したり、又はホイロ工程前（二次発酵前）の成形生地の表面に、所定の発酵種を塗布したり、或いは常法とおりに製出したパンの表面に、所定の発酵種を塗布して再度焼成してなることを特徴とするものである。
【０００９】
従って添加された加熱処理種は、加熱処理によって所定の香りを生じさせ、塗布された発酵種は、その後の工程の加熱処理（焼成工程）で所定の香りを生じさせるものである。
【発明の効果】
【００１０】
本発明は上記の構成を採用したものであるから、発酵物の風味を生かすために、発酵物をパン生地として使用して発酵熟成させる煩雑さがなく、簡易に発酵物が備える独自の風味を付与した香味パンを提供できたものである。
【発明を実施するための最良の形態】
【００１１】
次に本発明の実施形態について説明する。第一実施形態は、パン生地に香りの元となる発酵種を練り込むものである。
【００１２】
パン生地の配合は、図１の左欄に示すもので、各分量は、強力粉を１００とした場合の重量比で表している。
【００１３】
この第一実施形態は、種は所謂パン種と称され、従前においてパンの風味付与手段としてパン生地の混捏時に添加混合される発酵物で、この種を生きた状態で生地に添加混合せずに、一旦６０〜９０℃で加熱処理（火入れ）して独自の風味（火香）を生じさせた後、生地に混入し、図１右欄で示した手順に沿って常法通り製パンをするものである。
【００１４】
種は、火入れによって独自の香りが変化して「火香」の生成が確認でき、製出されたパンは、生種を使用してオーバーナイト法で製出したパンとは明らかに異なる独自の香りを備えていた。
【００１５】
第二実施形態は、常法で製出したパンに、所定の発酵種を塗布して再度焼成してなるもので、図２の左欄に示した通常のパン生地を、同図右欄に示したように常法とおりの手段で製パンした後、パン表面に発酵種を塗布（液状種に浸漬しても良い）し、再度２２０℃５分の焼成を行ったものである。
【００１６】
前記の発酵種には、５種類の種を使用したが、何れも種の火入れによる「火香」が確認された。特にリンゴ種、レモン種、酒種を使用したパンは、香りが強く評価が良かった。
【００１７】
第三実施形態は、ホイロ工程前（二次発酵前）の成形生地の表面に、発酵種を塗布（液状種に浸漬しても良い）し、パンの焼成工程で発酵種の火入れを行うようにしたものである。
【００１８】
即ち図３左欄に示したとおりの材料を以って、右欄に示したとおり、ミキシング、発酵、分割、ベンチ、成形の各工程を終了してコッペ型に生成した生地に、発酵種を塗布し、ホイロ工程を経て焼成して製パンしたもので、前記の焼成工程で種の火入れをおこうものである。
【００１９】
前記手段で製出されたパンの風味は、第二実施形態のパンの香りより弱い香りであるが、種の「火香」は充分に付与されていた。
【図面の簡単な説明】
【００２０】
【図１】本発明の第一実施形態の材料比と工程の説明表である。
【図２】同第二実施形態の説明表である。
【図３】同第三実施形態の説明表である。
【図１】
2005237330.tif 000003
【図２】
2005237330.tif 000004
【図３】
2005237330.tif 000005
(57)【要約】      （修正有）【課題】従来、家庭用にはペットから濡れた毛を乾燥させるための道具が無かった。【解決手段】材質にビニール状の柔らかい物を使用する事で家庭用にし、乾燥には家庭用ドライヤと水分吸収性の良い手袋を併用する事で行なう。また、乾燥中に両手でペットをおさえる事も出来る。【選択図】図１
2005237353.tif 000002
【特許請求の範囲】
【請求項１】
ビニール状の透明で柔らかい材質を使用し、一般家庭にあるドライヤと水分吸収の良い指の分かれた手袋を併用して、洗浄後の濡れているペットの乾燥を行なう乾燥具。
【請求項２】
請求項１の乾燥具は両手でペットを押えるため、容易に乾燥させる事が出き、使用しない場合はたためるため収納スペースもとらない。また、使用する手袋は本来にはつながっていないので、手袋を乾燥したり洗ったりして再利用する事が出来る乾燥具。
【発明の詳細な説明】
【技術の分野】
【０００１】  本発明は、一般家庭でペットの濡れた毛を乾燥させる乾燥具の形状に関する。［背景技術］
【０００２】  従来、ペットの毛を乾燥させる道具が一般家庭用には無かった。［発明の開示］［発明が解決しようとする課題］
【０００３】  そこで、本発明は一般家庭用に小さく、収納スペースもとらない事、動き回るペットを両手を使っておさえる事で容易に乾燥出来る道具を実現する事を課題とする。［課題を解決するための手段］
【０００４】  第１の課題解決手段は材質にビニール状の柔らかい透明な物を使用する事で未使用時の収納スペースを取らないようにする。
【０００５】  第２の課題解決手段は、動き回るペットは水分吸収の良い指が分かれた手袋を使用して動きをおさえる
【０００６】  ペットの毛を乾燥させるために家庭にあるドライヤを使用する。
【０００７】  第２の課題解決手段で両手を使っているので本体にドライヤを接ぐ箇所を設けて手を使わなくても、乾燥させるために空気が、ペットにとどくようにする。［発明の効果］
【０００８】  動き回るペットをおさえながら乾燥する事が出来る事で苦労していた事が容易に行なえる
【０００９】  使用しない場合は収納スペースを取らないので家庭では便利である。［発明を実施するための最良の形態］
【００１０】  以下、本発明の実施の形態を図１に基づいて説明する。
【００１１】  図１において、本体１を用意してドライヤ接続口７にドライヤを接続する。９のチャック口からペットを入れ、６の頭出し穴から頭を出しチャックを閉じる。ドライヤのスイッチを入れ乾燥空気が送られて、８の排気穴から出て来る事を確認したら、手袋４及び５を装着して穴２及び３から入れる
【図面の簡単な説明】
【００１２】
【図１】本体外観図［符号の説明］
【００１３】１  本体２  右手を入れる穴３  左手を入れる穴４  右手の手袋５  左手の手袋６  ペットが頭を出す穴７  ドライヤを接ぐ口８  内部空気の排気穴９  ペット出し入れ用チャック
【図１】
2005237353.tif 000003
(57)【要約】      （修正有）【課題】動力刈払い機は、エンジンの高馬力化に伴って、操作竿、動力伝達軸などが大径化、肉厚化、補強用スリーブの挿入など、その重量が重くなりがちで、エンジンから刈刃へ鉄製の伝達軸で直結されていたので、エンジンや刈刃の衝撃が吸収されず、山の下刈り作業中に刈刃が木の切株などに食付くと致命的な操作竿の折れ曲がり破損が頻繁に起こっていた。また、操作竿の大径化は、グリップの大径化となり、手の小さい人はしっかり握れない欠点があった。【解決手段】操作竿１２は薄肉小径化し、ブッシュ１３も薄肉として、そこに挿入される動力伝達軸１１は可能な限り大径化することで、従来の刈払い機に採用された操作竿補強用のスリーブの役目を兼ねる構造とする。さらに、その両端にクッション１６を採用することで、エンジンや刈刃からの回転衝撃を吸収させるので、操作竿１２の外径が小さくでき、グリップも小径化できる。【選択図】図１
2005237359.tif 000002
【特許請求の範囲】
【請求項１】
全体または、その一部分の外径を可能な限り操作竿の内径に近づけた円筒状の動力伝達軸またはクッションを採用することを特徴とする動力刈払い機。
【発明の詳細な説明】
【技術分野】
【０００１】本発明は、刈払い機の動力伝達軸に関する。
【背景技術】
【０００２】  従来の動力刈払い機の操作竿２２の外部からの曲げなどに対する強度は、操作竿２２だけで確保していたので厚肉化や、直径の大寸法化、ジュラルミンやカーボンファイバーなど特殊材料の採用、操作竿内にスリーブ２６の挿入などの方法が採用されていた。【０００３】  また、その動力伝達軸２１の多くは質量の大きい鉄製であり、その耐久性技術は、直径の大寸法化、厚肉化、中実化などが採用されている。
【発明の開示】
【発明が解決しようとする課題】
【０００４】  以上に述べた従来の刈払い機の操作竿２２の耐久性技術の方法では、その外径の大寸法化や厚肉化又はスリーブ２６の挿入に伴って、刈払い機の総重量が重くなると共に操作竿に挿入固定された作業者の握りの部の直径が大径化する、原材料価格が高くなる、刈刃の回転振動がギアケース２４に直接挿入挟持された操作竿２２を伝播し易くなり、作業者の疲労が増す欠点があった。【０００５】  また、鉄製の動力伝達軸２１の両端はスプラインなどにより、エンジンのクラッチドラムとギアケース２４内のピニオン２７に直結されており、エンジンの動力や作業時の被削物から刈刃への衝撃がチップソーなどに致命的なダメージを与え、さらに動力伝達軸２１、ブッシュ２３を経由して操作竿に伝播され、作業者の疲労が増すばかりでなく、不快な騒音を発生し作業環境は悪くなっていた。【０００６】  また、山林などでの刈払い作業中などに刈刃が木の切株に食付くと、エンジントルクに操作竿の強度が絶えられず、致命的となる折れ曲がり破損が頻繁に起こっていた。【０００７】  本発明は、このような従来の刈払い機の有していた問題を解決しようとするものであり、操作竿の強度や、動力伝達軸の強度を犠牲にしない方法で軽量化して、操作竿の振動を軽減することを目的とするものである。．
【課題を解決するための手段】
【０００８】  そして、本発明は上記目的を達成するために動力伝達軸１１の外径を可能な限り操作竿１２の内径に近付け、その両端にクッション１６を介してスプラインジョイント１５を配置することで、エンジンの動力を弾力的にピニオン１７に伝達して刈刃を駆動する構造とする。【０００９】  上記理由により、刈払い作業中のエンジンのフライホイールに密着されたクラッチドラムからの回転振動や、刈刃からギアケース１４、さらにピニオン１７を介して伝わって来る被削物からの回転衝撃振動は、共にクッション１６により遮断され操作竿１２には伝播されない。【００１０】  また、動力伝達軸１１は、操作竿１２内の所定の適正な位置に挿入固定された数個の薄肉ブッシュ１３により、回転可能な状態で保持される【００１１】  そのブッシュ１３の内径と動力伝達軸１１の外径の隙間は、可能な限り小さい寸法とすることで、作業中にかかる外部からの曲げ応力や刈刃の食い付きにによるエンジントルクの反力に対して、操作竿１２と動力伝達軸１１の両方で分散して受け止めることが可能となる。
【発明の効果】
【００１２】  上述したように本発明の刈払い機は、動力伝達軸１１の外径と操作竿１２の内径を近い寸法とすることで、動力伝達軸１１が従来の刈払い機に採用されたスリーブの役目も兼ねる構造なので、内部にスリーブなどを挿入する必要も無く、アルミなどの軽質素材でも、操作竿の薄肉、小径化が可能となり、作業者の握り部も小径化出来、刈払い機の軽量化が可能となる。【００１３】  また、従来の刈払い機に比較して薄肉軽量素材で小径の操作竿の採用は、刈刃などの振動を操作竿に取りつけられた作業者の握り部に伝播しにくいので、作業者の疲労を軽減する効果がある。【００１４】  さらに、動力伝達軸１１は、従来の刈払い機の動力伝達軸よりかなり大径化され、両端のそれぞれに作業時の回転衝撃を和らげるクッション１６を採用したので、、アルミなどの軽質素材で薄肉設計でも十分な強度が確保できるし、チップソーなどの刈刃にもやさしく振動も低減する。
【発明を実施するための最良の形態】
【００１５】  以下、本発明の実施の形態を図１に基づいて説明する。【００１６】  図においては、１１は動力伝達軸で、その両端それぞれに回転衝撃を和らげるクッション１６を介して１５スプラインジョイントが半固定され、１３ブッシュが内部に配置された１２操作竿内に自由回転できる状態で挿入され保持されている。【００１７】  そのスプラインジョイント１５の一方は、エンジンのクラッチドラム、他方はギアケース１４内のピニオン１７へ接続されエンジンの動力を弾力的に刈刃に伝達するよう構成される。
【図面の簡単な説明】
【００１８】
【図１】本発明の実施形態を示す刈払い機の動力伝達軸の部分図、断面図、Ａ−Ａ矢視図
【図２】従来の刈払い機の動力伝達軸の部分図
【符号の説明】
【００１９】  １１、２１は動力伝達軸．
１２、２２は操作竿
１３、２３はブッシュ
１４、２４はギアケース
１５      はスプラインジョイント
１６      はクッション
１７、２７はピニオン
２６      はスリーブ
【図１】
2005237359.tif 000003
【図２】
2005237359.tif 000004
(57)【要約】【課題】冷えたごはん又は冷凍ごはんを加熱する時元の形を保つ為又、加熱後も全体が炊き立てのごはんの食感のまま喫食できる様オブラートで全体を覆ったバンズ形状のごはんを提供する。【解決手段】バンズ形状の冷えたごはん又は冷凍ごはん１をオブラート２により全体を覆う事によって、バンズ形状の冷えたごはん又は冷凍ごはん１を  加熱しても元の形を保ち、全体が炊き立てのごはんの食感のま喫食できるようにする。【選択図】図３
2005237358.tif 000002
【特許請求の範囲】
【請求項１】
バンズ形状にした冷えたごはん又は冷凍ごはんをオブラートで全体を覆うことを特徴とする。これにより加熱後も元の形を保ちそのまま喫食できるようにする。
【発明の詳細な説明】
【発明の詳細な説明】
【発明の詳細な説明】
【０００１】  本発明は冷えたごはん又は冷凍ごはんを加熱した時元の形が崩れるのを解決する為にバンズ形状の冷えたごはん又は冷凍ごはんをオブラートで全体を覆った。これにより加熱後も元の形を保ち全体が炊きたてのライスの食感のままパテなどのおかずを載せたり挟んだりして喫食できるようにした。
【背景技術】
【０００２】  従来の冷えたごはん又は、冷凍ごはんを喫食する場合は、加熱後ご飯茶碗などの容器に移し替えたり海苔などで覆ったり又、焼きおにぎりのように形を固めて片面や両面を焼いて喫食しているが、加熱後も元の状態を保ち全体が炊きたての食感のままで喫食できるものは無かった。
【発明が解決しようとする課題】
【０００３】  従来冷えたごはん又は冷凍ごはんは加熱後にごはん茶碗などの容器に移し替え喫食したり、おにぎりのように事前にごはんを固めておかねばならなかったりで、ごはんがくずれ喫食しにくい為、容器やごはんを固める作業などが必要であった。又ごはんが場所により焦げていたり固まっていたりで食感にも難があった。本発明は、この課題を解消するためになされたものである。
【課題を解決するための手段】
【０００４】  バンズ形状の冷えたごはん又は冷凍ごはんをオブラートで全体を覆うことによって加熱しても元の形を保ち又、加熱後も全体が炊き立てのごはんの食感のまま喫食できるようにした。
【発明の実態の形態】
【０００５】  以下、本発明の実施の形態について説明する。
バンズ形状の冷えたごはん又は冷凍ごはん１にオブラート２を全体を覆い包み込む。
【発明の効果】
【０００６】  バンズ形状の冷えたごはん又は冷凍ごはん１をオブラート２で全体を覆い包み込むことで電子レンジなどで温めたり食用油などで揚げたり焼いて加熱しても元の形を保ち、全体が炊き立てのごはんの食感を保持。加熱後のバンズ形状のごはん１にパテなどのおかずなどを載せたり挟んでおかずなども温かく又は、新鮮なまま喫食することが出来る。
【図面の簡単な説明】
【図１】  本発明の組み合わせ前の全体図
【図２】  本発明の組み合わせた全体図
【図３】  本発明のバンズ形状の冷えたごはん又は冷凍ごはんの、加熱後の使用状態を示す断面図である。
【符号の説明】
１  バンズ形状の冷えたごはん又は冷凍ごはん
２  オブラート
３  パテ
【図１】
2005237358.tif 000003
【図２】
2005237358.tif 000004
【図３】
2005237358.tif 000005
(57)【要約】【課題】  本発明の目的は、カメラハウジングにおいて、公知のサンシェードでは防ぐ事の出来なかった有効光線透過範囲に落下する雨水および雨滴等を映像に写りこむことなく落下させることを目的とする。【解決手段】  そこで、本発明では、屋外用雲台に搭載されるテレビカメラハウジングにおいて、フロントサンシェードに雨水及び雨滴の落下防止機能が設けられている事を特徴とするフロントサンシェード部を有する構成をとる。【選択図】  図１
2005250306.tif 000002
【特許請求の範囲】
【請求項１】
屋外用雲台に搭載されるテレビカメラハウジングにおいて、フロントサンシェードに雨水及び雨滴の落下防止機能が設けられている事を特徴とするフロントサンシェード部を有するテレビカメラハウジング。
【請求項２】
前記雨滴落下防止機能は、下部切り口に角度を持った直線又はＲなどを持たせる事を特徴とする請求項１のフロントサンシェードを備えたテレビカメラハウジング。
【請求項３】
前記雨滴落下防止機能は、下部に突起を備えることを特徴とする請求項１のフロントサンシェードを備えたテレビカメラハウジング。
【発明の詳細な説明】
【技術分野】
【０００１】
本発明は、テレビカメラなどに用いられる雲台装置に関するものである。
【背景技術】
【０００２】
従来、雨水及び雨滴に対する防止策としては、特許文献１に記載されているように、主にワイパーの使用により、前面ガラスに付着した水滴のみの除去を行うか、またはハウジング上部に雨どいを設ける事で、上面から雨だれが落ちてくる事を防いでいた。
【特許文献１】特開平５−１６７８９７号
【発明の開示】
【発明が解決しようとする課題】
【０００３】
従来のハウジングに付随のフロントサンシェードでは、天井部及びフロント面に付着した雨水が、有効光線透過範囲で雨滴となって落下する事を防げなかった為に、映像へ落下する雨滴が映り込んでしまうことがあった。
【０００４】
本発明は前述従来例の欠点を除去し、有効光線透過範囲の雨滴落下を防ぐ事の出来るテレビレンズハウジングのフロントサンシェードを提供する事を目的とする。
【課題を解決するための手段】
【０００５】
上記目的を解決するための本発明に関わるフロントサンシェードは、フロント面を伝って落下しようとする雨滴を、フロントサンシェード下部に設けた傾斜又はＲ、あるいは突起や溝に沿って有効光線透過範囲以外へ誘導し落下させる事により、映像への雨滴落下の映り込みを防止する機能を設けたことを特徴とする。
【発明の効果】
【０００６】
以上説明したように、本発明によれば、カメラハウジングにおいて、公知のサンシェードでは防ぐ事の出来なかった有効光線透過範囲に落下する雨水および雨滴等を、有効光線透過範囲以外へ誘導し、映像に写りこむことなく落下させる事を可能にするものである。
【発明を実施するための最良の形態】
【０００７】
（実施例）
（第１の実施例）
本発明を図１〜図３に図示の実施例に基づいて説明する。
【０００８】
図１は第一の実施例の正面図であり、図１において１はテレビカメラを搭載するハウジング、２は該ハウジングの前面に取り付けられたガラス面で、有効光線透過範囲である。また、５は該ハウジングの上面及び側面を覆うサンシェードであり、フロントサンシェード３は該サンシェードに支持されている。フロントサンシェード３においては、下部切り口４の形状は図示のようなＲまたは角度を持った直線をもっている。サンシェード５及びフロントサンシェード３に付着した水滴は降下する際に、下部切り口４の形状に沿って有効光線透過範囲以外である６ａ，６ｂに誘導され落下する。なお、水滴が下部切り口４を伝って容易に有効光線透過範囲以外に誘導される為に、水の表面張力を高める塗装や表面処理を行ってもよい。
【０００９】
（第２の実施例）
図２は本発明第二の実施例の正面図であり、図３は第二の実施例の側面図である。サンシェード５に支持されたフロントサンシェード３の下部に別部材からなる突起７を締結する。突起７は図示のようにＲまたは角度を持った直線を有している。サンシェード５及びフロントサンシェード３に付着した水滴は降下する際に、突起７に沿って有効光線透過範囲以外である６ａ，６ｂに誘導され落下する。
【００１０】
（第３の実施例）
図４は本発明第三の実施例の正面図であり、図５は第二の実施例の側面図である。サンシェード５に支持されたフロントサンシェード３の下部に溝８を有する。サンシェード５及びフロントサンシェード３に付着した水滴は降下し、溝８を伝い有効光線透過範囲以外である６ａ，６ｂから落下する。また、この溝は別部材を締結することの他に、同一部材を折り返して形成してもよい。
【図面の簡単な説明】
【００１１】
【図１】第一の実施例の正面図である。
【図２】第二の実施例の正面図である。フロントサンシェードに締結する突起の形状とその構成を説明する図である。
【図３】第二の実施例の側面図である。
【図４】第三の実施例の正面図である。フロントサンシェードに設ける溝の形状とその構成を説明する図である。
【図５】第三の実施例の側面図である。
【符号の説明】
【００１２】
１  カメラハウジング
２  ガラス面（有効光線透過範囲）
３  フロントサンシェード
４  下部切り口
５  サンシェード
６  否有効光線透過範囲
７  突起
８  溝
【図１】
2005250306.tif 000003
【図２】
2005250306.tif 000004
【図３】
2005250306.tif 000005
【図４】
2005250306.tif 000006
【図５】
2005250306.tif 000007